(57)【特許請求の範囲】
【請求項１】
上下方向を向く中心軸を中心とするインペラと、
前記インペラを前記中心軸回りに回転するモータと、
前記インペラを収納するハウジングと、
を備え、
前記ハウジングが、
前記インペラの上側を覆う上面部と、
前記インペラの下側を覆う下面部と、
前記インペラの側方を覆うとともに送風口が形成された側壁部と、
を備え、
前記上面部が、
前記モータが固定されるモータ固定部と、
前記モータ固定部の周囲に位置する周辺部と、
前記モータ固定部と前記周辺部とを連結する複数のリブと、
を備え、
前記モータ固定部、前記周辺部および隣り合うリブの間に、前記インペラに対向する複数の吸気口が形成され、
前記周辺部が、
前記複数の吸気口の外周をほぼ囲み、上面が前記複数のリブの上面よりも下側に位置する周辺低部と、
前記複数のリブに連続する部位を含み、上面が前記周辺低部の前記上面よりも上側に位置する周辺高部と、
を備え、
前記周辺高部が、前記複数のリブから前記上面部の外周縁まで連続する、送風ファン。
【請求項２】
前記周辺低部の下面、および、前記周辺高部の下面が、同じ高さに位置する、請求項１に記載の送風ファン。
【請求項３】
前記周辺高部の前記上面、および、前記複数のリブの前記上面が、同じ高さに位置する、請求項１または２に記載の送風ファン。
【請求項４】
前記周辺高部が、前記上面部の外周縁のうち前記送風口の上側に位置する部位を含む、請求項１ないし３のいずれかに記載の送風ファン。
【請求項５】
前記周辺高部が、前記上面部の前記外周縁全体を含む、請求項４に記載の送風ファン。
【請求項６】
前記周辺低部が、
前記複数の吸気口の外周をほぼ囲む環状低部と、
前記環状低部から径方向外方に向かって放射状に延びる複数の溝部と、
を備える、請求項１ないし５のいずれかに記載の送風ファン。
【請求項７】
前記周辺低部が、
前記複数の吸気口の外周をほぼ囲む環状低部と、
前記環状低部から径方向外方に向かって放射状に延びる複数の溝部と、
を備え、
前記複数の溝部が、前記環状低部から前記上面部の外周縁まで連続する、請求項１ないし４のいずれかに記載の送風ファン。
【請求項８】
前記周辺部が、前記周辺低部と前記周辺高部との間に中間部をさらに備え、前記中間部の上面が、前記周辺高部から前記周辺低部に向かって下方へと傾斜する傾斜面である、請求項１ないし７のいずれかに記載の送風ファン。
【請求項９】
前記周辺低部の前記上面の少なくとも一部が、前記複数の吸気口に向かって下方へと傾
斜する傾斜面である、請求項１ないし７のいずれかに記載の送風ファン。
【請求項１０】
前記インペラの回転方向後側における前記側壁部の内面と前記インペラとの間の径方向の距離が、前記インペラの回転方向前側における前記側壁部の前記内面と前記インペラとの間の径方向の距離よりも小さく、
前記インペラの前記回転方向前側における前記周辺低部の径方向の幅が、前記回転方向後側における前記周辺低部の径方向の幅よりも大きい、請求項１ないし９のいずれかに記載の送風ファン。
【請求項１１】
前記ハウジングの前記下面部が、前記インペラに対向する下側吸気口を備える、請求項１ないし１０のいずれかに記載の送風ファン。
【発明の詳細な説明】
【技術分野】
【０００１】
本発明は、送風ファンに関する。
【背景技術】
【０００２】
特開昭６０−１４５４９７号公報は、空気調和機等に利用されている遠心送風機に関するものである。２頁右上欄１１行〜左下欄９行、第２図および第３図に示されるように、遠心送風機のケーシング渦巻面３は、羽根車１に半径方向で最も近い渦巻始点７より羽根車１の回転方向Ｍに沿って、回転角度に比例して半径方向長さが大となる。渦巻始点７より第１中間点８までの区間Ｂでは、軸方向長さＦが一定である。第１中間点８より第２中間点９までの区間Ｃでは、第１傾斜面１０が形成され、回転角度に比例して軸方向長さＦが増加する。第２中間点９より渦巻終点１１までの区間Ｄでは、軸方向長さＦは一定で、第２傾斜面１２の傾斜角度は、軸方向長さが回転角度に比例して増加するに等しい断面積を確保するように大きくなる。渦巻終点１１より吹出中間点１３までの区間Ｅでは、第３傾斜面１４の傾斜角度が大きくなるように変化する。さらに、吹出口６までの区間Ｇでは、適当な拡大角で矩形形状の流路が拡大する。２頁右下欄１１〜１２行には、この構成により、大きな流路面積を確保し、送風性能の向上と騒音の低下を実現する、と記載されている。
【０００３】
特開２００３−６９２６５号公報は、ノート型パソコン等のＭＰＵを冷却する小型冷却ファンに関するものである。段落００１５および図１ないし図３に示すように、小型冷却ファンでは、扁平状のファン筐体７の内部に回転ファン体８がモータと共に設けられる。ファン筐体７の一側方には空気吹き出し口９が設けられる。また、ファン筐体７には、回転ファン体８の羽根の先端付近より外側に、空気吹き出し口９に連なる逆流防止用の風洞部１０が形成される。段落００１８には、風洞部１０の内高さ幅をファン室の内高さ幅よりも大きくしてあるため、逆流防止用の風洞部１０によってファンの風路が確保されるとともに、急激に広がった空間をもつ逆流防止用の風洞部１０により、空気吹き出し口９よりファン部への風の逆流が防止される、と記載されている。
【特許文献１】特開昭６０−１４５４９７号公報
【特許文献２】特開２００３−６９２６５号公報
【発明の概要】
【発明が解決しようとする課題】
【０００４】
ノート型パーソナルコンピュータ（以下、「ノート型ＰＣ」という。）で利用される小型の冷却ファンの１つとして、薄型のハウジングにおいて、モータ固定部の周囲に吸気口が設けられ、側面に送風口が設けられたものがある。このような冷却ファンでは、モータ固定部を吸気口の周辺の部位に連結するリブが設けられる。
【０００５】
ノート型ＰＣでは、冷却ファンの吸気口とＰＣ筐体等の他の構造との間隙が小さいため、吸気量を増大させることが難しく、送風量の増大に限界がある。しかしながら、当該間隙を大きくするために冷却ファンのハウジングを薄くすると、上記リブの強度が低下し、落下衝撃試験等における要求を満足することができなくなるおそれがある。
【０００６】
本発明は、上記課題に鑑みなされたものであり、送風ファンのハウジングの強度低下を抑制しつつ吸気量を増大することを目的としている。
【課題を解決するための手段】
【０００７】
本発明の一の側面からは、送風ファンは、上下方向を向く中心軸を中心とするインペラと、前記インペラを前記中心軸回りに回転するモータと、前記インペラを収納するハウジングと、を備え、前記ハウジングが、前記インペラの上側を覆う上面部と、前記インペラの下側を覆う下面部と、前記インペラの側方を覆うとともに送風口が形成された側壁部と、を備え、前記上面部が、前記モータが固定されるモータ固定部と、前記モータ固定部の周囲に位置する周辺部と、前記モータ固定部と前記周辺部とを連結する複数のリブと、を備え、前記モータ固定部、前記周辺部および前記複数のリブの間に、前記インペラに対向する複数の吸気口が形成され、前記周辺部が、前記複数の吸気口の外周をほぼ囲み、上面が前記複数のリブの上面よりも下側に位置する周辺低部と、前記複数のリブに連続する部位を含み、上面が前記周辺低部の前記上面よりも上側に位置する周辺高部と、を備え、前記周辺高部が、前記複数のリブから前記上面部の外周縁まで連続する。
【発明の効果】
【０００８】
本発明では、ハウジングの強度低下を抑制しつつ吸気量を増大することができる。
【図面の簡単な説明】
【０００９】
【図１】図１は、第１の実施形態に係る送風ファンの断面図である。
【図２】図２は、送風ファンの平面図である。
【図３】図３は、送風ファンの底面図である。
【図４】図４は、第２の実施形態に係る送風ファンの断面図である。
【図５】図５は、第３の実施形態に係る送風ファンの断面図である。
【図６】図６は、第４の実施形態に係る送風ファンの平面図である。
【図７】図７は、第５の実施形態に係る送風ファンの平面図である。
【図８】図８は、送風ファンの平面図である。
【図９】図９は、送風ファンの平面図である。
【図１０】図１０は、送風ファンの平面図である。
【図１１】図１１は、送風ファンの平面図である。
【図１２】図１２は、送風ファンの平面図である。
【発明を実施するための形態】
【００１０】
本明細書では、図１中における送風ファンの中心軸方向の上側を単に「上側」と呼び、下側を単に「下側」と呼ぶ。本明細書における上下方向は、実際の機器に組み込まれたときの上下方向を示すものではない。また、中心軸を中心とする周方向を、単に「周方向」と呼び、中心軸を中心とする径方向を、単に「径方向」と呼ぶ。
【００１１】
（第１の実施形態）
図１は、本発明の例示的な第１の実施形態に係る送風ファン１を示す断面図である。送風ファン１は、遠心ファンであり、例えば、ノート型パーソナルコンピュータ（以下、「ノート型ＰＣ」という。）に搭載され、ノート型ＰＣの筐体内部の機器の冷却に利用される。
【００１２】
送風ファン１は、モータ２と、ハウジング３と、インペラ４と、を備える。インペラ４は、上下方向を向く中心軸Ｊ１を中心とする。モータ２は、インペラ４を中心軸Ｊ１回りに回転する。ハウジング３は、モータ２およびインペラ４を収納する。
【００１３】
ハウジング３は、上面部３１と、下面部３２と、側壁部３３と、を備える。上面部３１は、インペラ４の図１中における上側を覆う。下面部３２は、インペラ４の下側を覆う。側壁部３３は、インペラ４の側方を覆う。側壁部３３は、上面部３１と一体成形された樹脂部材である。下面部３２は、側壁部３３の下端部に取り付けられる。
【００１４】
図２は、送風ファン１の平面図である。図３は、下面部３２を取り外した状態の送風ファン１の底面図である。図１および図２に示すように、上面部３１には、インペラ４に対向する複数の吸気口３１１が形成される。また、図１に示すように、下面部３２にも、インペラ４に対向する吸気口３２１が形成される。以下の説明では、吸気口３１１および吸気口３２１をそれぞれ、「上側吸気口３１１」および「下側吸気口３２１」という。本実施形態では、３つの上側吸気口３１１と、１つの下側吸気口３２１とがハウジング３に設けられる。下側吸気口３２１は、中心軸Ｊ１を中心とする略円形である。上側吸気口３１１に加えて下側吸気口３２１が設けられることにより、送風ファン１の吸気量を容易に増大することができる。側壁部３３には、図３に示すように、ハウジング３の左右方向のおよそ全幅に亘る送風口３３１が形成される。
【００１５】
図１に示すモータ２は、アウターロータ型である。モータ２は、固定組立体である静止部２１と、回転組立体である回転部２２と、を備える。回転部２２は、後述する軸受機構により、中心軸Ｊ１を中心として静止部２１に対して回転可能に支持される。
【００１６】
静止部２１のステータ２１０は、中心軸Ｊ１を中心とする環状であり、略円筒状のスリーブ保持部２４の外側面に取り付けられる。スリーブ保持部２４は、ハウジング３の上面部３１から下向きに突出する。ステータ２１０は、ステータコア２１１と、インシュレータ２１２と、コイル２１３と、を備える。ステータコア２１１は、薄板状の珪素鋼板が積層されて形成される。インシュレータ２１２は、ステータコア２１１の表面を被覆する絶縁体である。
【００１７】
回転部２２は、シャフト２２１と、ヨーク２２２と、ロータマグネット２２３と、カップ部２２４と、を備える。カップ部２２４は、中心軸Ｊ１を中心とする略有底円筒状であり、上側に向かって開口する。シャフト２２１は、中心軸Ｊ１を中心として配置され、カップ部２２４の底部に固定される。ヨーク２２２は、中心軸Ｊ１を中心とする略円筒状であり、カップ部２２４の内側面に固定される。ロータマグネット２２３は、中心軸Ｊ１を中心とする略円筒状であり、ヨーク２２２の内側面に固定される。
【００１８】
シャフト２２１の上端は、中心軸Ｊ１を中心とする略円筒状のスリーブ２３に挿入される。スリーブ２３は、含油性の多孔質金属体により形成され、スリーブ保持部２４に挿入されて固定される。スリーブ２３は、シャフト２２１を中心軸Ｊ１を中心に回転可能に支持する軸受機構である。なお、軸受機構として、例えば、ボール軸受が利用されてもよい。
【００１９】
図１ないし図３に示すように、インペラ４は、複数の翼４１を備える。複数の翼４１は、カップ部２２４の外側にて、中心軸Ｊ１を中心として環状に配列される。各翼４１の径方向内側の端部は、カップ部２２４の外側面に固定される。図１に示す静止部２１に電流が供給されることにより、ロータマグネット２２３とステータ２１０との間に、中心軸Ｊ１を中心とするトルクが発生する。これにより、インペラ４が、中心軸Ｊ１を中心とする所定の回転方向に回転部２２と共に回転する。インペラ４の回転により、上側吸気口３１１および下側吸気口３２１からハウジング３内へと空気が吸引される。ハウジング３内では、空気は、インペラ４の回転方向後側から回転方向前側へと流れ、図３に示す送風口３３１から送出される。
【００２０】
本実施形態では、インペラ４は、図３中における反時計回りに回転する。以下の説明では、図３中における中心軸Ｊ１の左側を「インペラ４の回転方向後側」といい、中心軸Ｊ１の右側を「インペラ４の回転方向前側」という。図２中では、中心軸Ｊ１の右側がインペラ４の回転方向後側であり、中心軸Ｊ１の左側がインペラ４の回転方向前側である。図３に示すように、中心軸Ｊ１は、送風口３３１が延びる左右方向において、送風口３３１の中心に対して左側、すなわち、回転方向後側に偏って配置される。インペラ４の回転方向後側における側壁部３３の内面３３２とインペラ４の外周縁との間の径方向の距離は、インペラ４の回転方向前側における側壁部３３の内面３３２とインペラ４の外周縁との間の径方向の距離よりも小さい。本実施形態では、側壁部３３の内面３３２とインペラ４の外周縁との間の径方向の距離は、インペラ４の回転方向後側から回転方向前側に向かうに従って漸次増大するが、当該距離が一定である部分が存在してもよい。
【００２１】
図２に示すように、ハウジング３の上面部３１は、モータ固定部３１２と、複数のリブ３１３と、周辺部３１４と、を備える。モータ固定部３１２の下面には、上述のスリーブ保持部２４を介してモータ２（図１参照）が固定される。モータ固定部３１２は、平面視において略円形である。周辺部３１４は、モータ固定部３１２の周囲に位置する。複数のリブ３１３は、モータ固定部３１２と周辺部３１４とを連結する。本実施形態では、３本のリブ３１３が設けられる。３本のリブ３１３は、モータ固定部３１２の外周をほぼ囲むように周状に配置された３つの上側吸気口３１１の間に設けられる。換言すれば、３つの上側吸気口３１１は、モータ固定部３１２、周辺部３１４、および、複数のリブ３１３のうち隣り合うリブ３１３の間に形成される。
【００２２】
図１に示すように、周辺部３１４は、周辺低部３１５と、周辺高部３１６と、を備える。周辺高部３１６の上面３７１は、周辺低部３１５の上面３７２よりも上側、すなわち、中心軸Ｊ１方向においてインペラ４から遠い側に位置する。周辺高部３１６の下面３８１、および、周辺低部３１５の下面３８２は、中心軸Ｊ１方向において同じ高さに位置する。周辺部３１４では、周辺高部３１６が厚肉部であり、周辺低部３１５が薄肉部である。本実施形態では、周辺高部３１６の厚さは約１ｍｍ〜１．５ｍｍであり、周辺低部３１５の厚さは、約０．５ｍｍ〜０．７ｍｍである。
【００２３】
図２に示すように、周辺低部３１５は、３つの上側吸気口３１１の外周をほぼ囲むように略環状に設けられる。周辺低部３１５は、３本のリブ３１３の径方向外側、詳細には、各リブ３１３を径方向外側に直線状に延長した部位を除いて配置される。上面部３１では、図２中の中心軸Ｊ１よりも左側における周辺低部３１５の径方向の幅が、中心軸Ｊ１よりも右側における周辺低部３１５の径方向の幅よりも大きい。換言すれば、インペラ４の回転方向前側における周辺低部３１５の径方向の幅は、回転方向後側における周辺低部３１５の径方向の幅よりも大きい。
【００２４】
周辺高部３１６は、周辺低部３１５の外周を囲むとともに上面部３１の外周縁３１７まで連続して設けられ、３本のリブ３１３にそれぞれ連続する３本の帯状の部位３６１（以下、「リブ連続部３６１」という。）を含む。換言すれば、周辺高部３１６は、複数のリブ３１３から上面部３１の外周縁３１７まで連続する。周辺高部３１６は、上面部３１の外周縁３１７の全体を含む。したがって、周辺高部３１６は、上面部３１の外周縁３１７のうち、送風口３３１の上側に位置する部位全体も当然に含む。
【００２５】
図１に示すように、周辺高部３１６の上面３７１は、モータ固定部３１２の上面３７４、および、リブ３１３の上面と同じ高さに位置する。したがって、周辺低部３１５の上面３７２は、モータ固定部３１２の上面３７４、および、リブ３１３の上面よりも下側、すなわち、中心軸Ｊ１方向においてインペラ４に近い側に位置する。
【００２６】
送風ファン１がノート型ＰＣに取り付けられた状態では、ハウジング３の上面部３１は、例えば、ノート型ＰＣの筐体の内面もしくはノート型ＰＣ内に実装された他の部品に対向する。ノート型ＰＣの筐体とハウジング３の上面部３１との間の距離は非常に小さい。送風ファン１では、上面部３１の周辺部３１４が、複数の上側吸気口３１１の外周をほぼ囲む周辺低部３１５を備えることにより、上側吸気口３１１の周囲において上面部３１とノート型ＰＣの筐体との間の距離を増大させることができる。また、周辺高部３１６の上側吸気口３１１側のエッジの全長が長くなり、周辺高部３１６の上側吸気口３１１側のエッジとノート型ＰＣの筐体との間における隙間の開口面積が大きくなる。これにより、周辺高部３１６とノート型ＰＣの筐体との間から上側吸気口３１１に向かって流入する空気に働く抵抗を小さくすることができる。その結果、複数の上側吸気口３１１からの吸気量を増大することができ、送風ファン１の送風量を増大することができる。すなわち、送風ファン１の送風特性を向上することができる。
【００２７】
周辺部３１４では、周辺高部３１６の上面３７１が、周辺低部３１５の上面３７２よりも上側に位置することにより、周辺高部３１６の強度は周辺低部３１５の強度よりも大きい。そして、周辺高部３１６が複数のリブ３１３に連続するリブ連続部３６１を含む構造を採用することにより、リブ３１３と周辺部３１４との接続部近傍におけるハウジング３の強度低下を抑制しつつ、上述のように、周辺低部３１５による吸気量の増大を実現することができる。また、モータ固定部３１２の上面３７４、および、複数のリブ３１３の上面が、同じ高さに位置することにより、リブ３１３とモータ固定部３１２との接続部近傍におけるハウジング３の強度を向上することができる。
【００２８】
周辺部３１４では、周辺高部３１６の下面３８１、および、周辺低部３１５の下面３８２が同じ高さに位置することにより、周辺高部３１６の下方と同様に、周辺低部３１５の下方においてもハウジング３の内部空間の高さを確保することができる。その結果、ハウジング３の高さの増大を防止することができる。また、周辺高部３１６の上面３７１、および、複数のリブ３１３の上面が、同じ高さに位置することにより、どちらかの上面が上側に位置する場合に比べて、周辺高部３１６およびリブ３１３の双方の強度を確保しつつハウジング３の高さの増大を防止することができる。
【００２９】
上述のように、周辺高部３１６は、複数のリブ３１３から上面部３１の外周縁３１７まで連続する。上面部３１の外周縁３１７は、側壁部３３により支持されるため、周辺高部３１６の強度を向上することができる。その結果、ハウジング３の強度低下をより抑制することができる。また、周辺高部３１６が、上面部３１の外周縁３１７全体を含むことにより、周辺高部３１６の強度をより向上することができる。その結果、ハウジング３の強度低下をさらに抑制することができる。一方、周辺高部３１６が、上面部３１の外周縁３１７のうち、送風口３３１の上側に位置する部位を含むことにより、送風口３３１から送出された直後の空気が、上面部３１へと流れて上側吸気口３１１から吸引されることを抑制、または、防止することができる。
【００３０】
ハウジング３の内部空間では、インペラ４の回転方向前側における空気の流速は、回転方向後側における空気の流速よりも大きい。上面部３１では、回転方向前側における周辺低部３１５の径方向の幅が、回転方向後側における周辺低部３１５の径方向の幅よりも大きい。これにより、周辺低部３１５全体の面積を増大させることなく、ハウジング３内の空気の流速が大きい回転方向前側において、周辺低部３１５の面積を増大させることができる。その結果、ハウジング３の強度低下を抑制しつつ上側吸気口３１１からの吸気量を増大することができる。
【００３１】
（第２の実施形態）
図４は、本発明の例示的な第２の実施形態に係る送風ファン１ａを示す断面図である。図４に示すように、送風ファン１ａでは、ハウジング３の上面部３１の周辺部３１４が、周辺低部３１５と周辺高部３１６との間に中間部３１８をさらに備える。他の構造は、図１ないし図３に示す送風ファン１と同様であり、同符号を付す。
【００３２】
中間部３１８は、周辺高部３１６から周辺低部３１５に向かって下方、すなわち、中心軸Ｊ１方向に関してインペラ４に近づく方向へと傾斜する傾斜面である。これにより、周辺高部３１６とノート型ＰＣの筐体との隙間から周辺低部３１５へと空気を滑らかに導くことができる。中間部３１８は、周辺低部３１５と周辺高部３１６との境界の少なくとも一部に設けられていればよいが、周辺低部３１５と周辺高部３１６との境界の全長に亘って設けられることがより好ましい。
【００３３】
（第３の実施形態）
図５は、本発明の例示的な第３の実施形態に係る送風ファン１ｂを示す断面図である。図５に示すように、送風ファン１ｂでは、ハウジング３の周辺低部３１５の上面３７２が、複数の上側吸気口３１１に向かって下方、すなわち、中心軸Ｊ１方向に関してインペラ４に近づく方向へと傾斜する傾斜面である。他の構造は、図１ないし図３に示す送風ファン１と同様であり、同符号を付す。
【００３４】
周辺低部３１５と周辺高部３１６との境界における周辺低部３１５の厚さは、周辺高部３１６の厚さに等しい。このように、周辺低部３１５の周辺高部３１６側の部位を厚くすることにより、ハウジング３の強度低下をより抑制することができる。ハウジング３の強度低下を抑制するためには、周辺低部３１５の上面３７２全体が、上側吸気口３１１に向かって下方へと傾斜する傾斜面であることが好ましい。ただし、周辺低部３１５の上面３７２の少なくとも一部が、上側吸気口３１１に向かって下方へと傾斜する傾斜面であれば、ハウジング３の強度低下をより抑制することができる。また、周辺低部３１５と周辺高部３１６との境界における周辺低部３１５の厚さは、周辺高部３１６の厚さよりも小さくてもよい。
【００３５】
（第４の実施形態）
図６は、本発明の例示的な第４の実施形態に係る送風ファン１ｃを示す平面図である。図６に示すように、送風ファン１ｃでは、図２に示す周辺低部３１５と異なる形状の周辺低部３１５ａが、上面部３１の周辺部３１４に設けられる。他の構造は、図１ないし図３に示す送風ファン１と同様であり、同符号を付す。図６では、インペラ４等のようなハウジング３内部の構造の図示を省略している。図７ないし図１２においても同様である。
【００３６】
周辺低部３１５ａは、環状低部３１９ａと、複数の溝部３１９ｂと、を備える。環状低部３１９ａは、複数の上側吸気口３１１の外周をほぼ囲む略環状である。複数の溝部３１９ｂは、環状低部３１９ａから径方向外方に向かって放射状に延びる。隣り合う溝部３１９ｂの間の部位は、周辺高部３１６に含まれる。複数の溝部３１９ｂが設けられることにより、ハウジング３の強度低下を抑制しつつ周辺低部３１５ａの面積を増大することができ、複数の上側吸気口３１１からの吸気量を増大することができる。
【００３７】
周辺部３１４では、各溝部３１９ｂは、上面部３１の外周縁３１７には至らず、上面部３１の外周縁３１７全体が、周辺高部３１６に含まれる。これにより、ハウジング３の強度低下をより抑制することができる。また、周辺高部３１６が、上面部３１の外周縁３１７のうち、送風口３３１の上側に位置する部位を含むことにより、送風口３３１から送出された直後の空気が、上側吸気口３１１から吸引されることを抑制、または、防止することができる。
【００３８】
（第５の実施形態）
図７は、本発明の例示的な第５の実施形態に係る送風ファン１ｄを示す平面図である。図７に示すように、送風ファン１ｄでは、周辺低部３１５ａが、環状低部３１９ａと、複数の溝部３１９ｂと、を備え、複数の溝部３１９ｂがそれぞれ、環状低部３１９ａから上面部３１の外周縁３１７まで連続する。他の構造は、図６に示す送風ファン１ｃと同様であり、同符号を付す。
【００３９】
送風ファン１ｄでは、複数の溝部３１９ｂを介して、上面部３１の外周縁３１７から環状低部３１９ａへと空気を容易に導くことができる。これにより、複数の上側吸気口３１１からの吸気量をさらに増大することができる。
【００４０】
図８ないし図１２はそれぞれ、本発明の例示的な他の送風ファンを示す平面図である。図８に示す送風ファン１ｅでは、周辺高部３１６において、各リブ連続部３６１と上面部３１の外周縁３１７との間に、周方向の幅が比較的大きい幅広部３６２が設けられる。他の構造は、図７に示す送風ファン１ｄと同様である。幅広部３６２は、リブ連続部３６１から上面部３１の外周縁３１７まで連続する。３つの幅広部３６２の周方向における幅は、周辺低部３１５ａの溝部３１９ｂの幅、および、隣り合う溝部３１９ｂの間における周辺高部３１６の幅の約３〜５倍である。幅広部３６２が設けられることにより、リブ３１３と周辺部３１４との接続部近傍におけるハウジング３の強度低下をより抑制することができる。
【００４１】
図９に示す送風ファン１ｆでは、周辺部３１４において、３本のリブ連続部３６１および３つの幅広部３６２を除く部位が、周辺低部３１５ｂである。このように、上側吸気口３１１の外周から上面部３１の外周縁３１７へと連続する周辺低部３１５ｂの幅を大きくすることにより、上側吸気口３１１からの吸気量をより増大することができる。
【００４２】
図１０に示す送風ファン１ｇでは、周辺高部３１６が、外周部３６３と、３本のリブ連続部３６１と、を備える。外周部３６３は、上面部３１の外周縁３１７の全長に亘って外周縁３１７に沿って延びる環状部である。外周部３６３の幅は、全長に亘っておよそ一定である。リブ連続部３６１は、リブ３１３から外周部３６３へと連続する帯状である。周辺部３１４では、外周部３６３および３本のリブ連続部３６１を除く部位が周辺低部３１５ｃである。送風ファン１ｇでは、外周部３６３により周辺高部３１６の強度を向上するとともに、周辺低部３１５ｃの面積を大きくすることにより、上側吸気口３１１からの吸気量をより増大することができる。また、外周部３６３により、送風口３３１から送出された直後の空気が、上側吸気口３１１から吸引されることを抑制、または、防止することができる。
【００４３】
図１１に示す送風ファン１ｈでは、上面部３１の外周縁３１７のうち、平面視において送風口３３１を間に挟む２本のリブ連続部３６１の間の部位のみに外周部３６３ａが設けられる。周辺部３１４では、外周部３６３ａおよび３本のリブ連続部３６１が周辺高部３１６となり、それ以外の部位全体が周辺低部３１５ｄである。送風ファン１ｈでは、周辺低部３１５ｄにおいて、上側吸気口３１１の外周から上面部３１の外周縁３１７へと連続する部分の幅を大きくすることにより、上側吸気口３１１からの吸気量をより増大することができる。また、外周部３６３ａにより、送風口３３１から送出された直後の空気が、上側吸気口３１１から吸引されることを抑制、または、防止することができる。
【００４４】
図１２に示す送風ファン１ｉでは、３本のリブ３１３から上面部３１の外周縁３１７に至る３本の帯状のリブ連続部３６１が周辺高部３１６となり、それ以外の部位全体が周辺低部３１５ｅである。周辺低部３１５ｅにおいて、上側吸気口３１１の外周から上面部３１の外周縁３１７へと連続する部分の幅をより大きくすることにより、上側吸気口３１１からの吸気量をさらに増大することができる。
【００４５】
以上、本発明の実施形態について説明したが、本発明は上記実施形態に限定されるものではなく、様々に変形されてよい。
【００４６】
例えば、ハウジング３の強度を許容範囲内とすることができる場合には、周辺高部３１６は、必ずしも複数のリブ３１３から上面部３１の外周縁３１７まで連続する必要はない。周辺高部３１６の上面３７１、および、複数のリブ３１３の上面は、中心軸Ｊ１方向において異なる高さに位置してもよい。また、周辺高部３１６の下面３８１、および、周辺低部３１５の下面３８２も、中心軸Ｊ１方向において異なる高さに位置してもよい。
【００４７】
上述の送風ファン１，１ａ〜１ｉでは、ハウジング３に上側吸気口３１１および下側吸気口３２１が設けられるが、送風ファンの用途によっては、上側吸気口３１１のみが設けられてもよい。上側吸気口３１１の個数は、２つ、または、４つ以上であってもよい。リブ３１３の本数は、上側吸気口３１１の個数により適宜変更される。
【００４８】
モータ２およびインペラ４の中心軸Ｊ１は、送風口３３１が延びる左右方向において、送風口３３１の中心とおよそ同じ位置に配置されてもよい。また、図２に示す送風ファン１の周辺低部３１５は、平面視における中心が、中心軸Ｊ１におよそ一致するように配置されてもよい。図６に示す送風ファン１ｃや図７に示す送風ファン１ｄでは、環状低部３１９ａの平面視における中心が、中心軸Ｊ１におよそ一致するように配置されてもよい。
【００４９】
上記実施形態および各変形例における構成は、相互に矛盾しない限り適宜組み合わせられてよい。
【産業上の利用可能性】
【００５０】
本発明に係る送風ファンは、ノート型ＰＣやデスクトップ型ＰＣの筐体内部における機器の冷却、その他の機器の冷却、様々な対象物に対する空気の供給等に利用可能である。さらに、他の用途として利用することができる。
【符号の説明】
【００５１】
１，１ａ〜１ｉ  送風ファン
２  モータ
３  ハウジング
４  インペラ
３１  上面部
３２  下面部
３３  側壁部
３１１  上側吸気口
３１２  モータ固定部
３１３  リブ
３１４  周辺部
３１５，３１５ａ〜３１５ｅ  周辺低部
３１６  周辺高部
３１７  外周縁
３１８  中間部
３１９ａ  環状低部
３１９ｂ  溝部
３２１  下側吸気口
３３１  送風口
３３２  内面
３６１  リブ連続部
３６３，３６３ａ  外周部
３７１〜３７４  上面
３８１，３８２  下面
Ｊ１  中心軸
【図１】
0005717046.tif 000002
【図２】
0005717046.tif 000003
【図３】
0005717046.tif 000004
【図４】
0005717046.tif 000005
【図５】
0005717046.tif 000006
【図６】
0005717046.tif 000007
【図７】
0005717046.tif 000008
【図８】
0005717046.tif 000009
【図９】
0005717046.tif 000010
【図１０】
0005717046.tif 000011
【図１１】
0005717046.tif 000012
【図１２】
0005717046.tif 000013